(57)【要約】【課題】階調レベルが高い原稿と低い原稿が混在したり、サイズが異なる原稿が混在した場合であっても、精度よく各原稿に対する画像を切り出す原稿読取装置を提供する。【解決手段】原稿台に１以上の原稿が載置され原稿カバーで原稿台が覆われない状態で第１原画像が取得されたら、第１原画像から、第１パラメータを利用して、１以上の原稿に少なくとも部分的に対応する１以上の第１予備的画像を取得する手段と、原稿台に１以上の原稿が載置され原稿カバーで原稿台が覆われた状態で第２原画像が取得されたら、第２原画像から、第２パラメータを利用して、１以上の原稿に少なくとも部分的に対応する１以上の第２予備的画像を取得する手段と、１以上の第１予備的画像及び１以上の第２予備的画像に基づいて、原稿台に載置された１以上の原稿に少なくとも部分的にそれぞれ対応する１以上の原稿画像を生成する手段を備える。【選択図】図１５
2018061186.tif 000002
【特許請求の範囲】
【請求項１】
原稿台に１以上の原稿が載置され且つ原稿カバーにより前記原稿台が覆われない状態において、前記原稿台が撮像されることにより第１原画像が取得されたならば、前記第１原画像から、前記原稿カバーにより前記原稿台を覆わない状態に対応して設けられた第１パラメータを利用して、前記１以上の原稿に少なくとも部分的に対応する１以上の第１予備的画像を取得する第１予備的画像取得手段と、
前記原稿台に１以上の原稿が載置され且つ前記原稿カバーにより前記原稿台が覆われた状態において、前記原稿台が撮像されることにより第２原画像が取得されたならば、前記第２原画像から、前記原稿カバーにより前記原稿台を覆った状態に対応して設けられた第２パラメータを利用して、前記１以上の原稿に少なくとも部分的に対応する１以上の第２予備的画像を取得する第２予備的画像取得手段と、
前記１以上の第１予備的画像及び前記１以上の第２予備的画像に基づいて、前記原稿台に載置された前記１以上の原稿に少なくとも部分的にそれぞれ対応する１以上の原稿画像を生成する原稿画像生成手段と、
を備えることを特徴とする原稿読取装置。
【請求項２】
請求項１に記載の原稿読取装置であって、
前記第１パラメータは、第１階調レベルに設けられた第１閾値を含み、前記第１予備的画像取得手段は、前記第１原画像から前記第１閾値よりも階調が高い部分を何れかの原稿に少なくとも部分的に対応する第１予備的画像として抽出し、
前記第２パラメータは、第２階調レベルに設けられた第２閾値を含み、前記第２予備的画像取得手段は、前記第２原画像から前記第２閾値よりも階調が低い部分を何れかの原稿に少なくとも部分的に対応する第２予備的画像として抽出することを特徴とする原稿読取装置。
【請求項３】
請求項１又は２に記載の画像読取装置であって、
前記原稿画像生成手段は、前記１以上の第１予備的画像に含まれる個別第１予備的画像の領域と、前記１以上の第２予備的画像に含まれる個別第２予備的画像の領域に関して和集合処理を行った上で、前記１以上の原稿に少なくとも部分的にそれぞれ対応する１以上の原稿画像を生成することを特徴とする原稿読取装置。
【請求項４】
請求項３に記載の画像読取装置であって、
前記和集合処理は、
個別第１予備的画像の領域が、個別第２予備的画像の領域を含むならば、個別第１予備的画像の領域を原稿に対応する領域とする処理、
個別第２予備的画像の領域が、個別第１予備的画像の領域を含むならば、個別第２予備的画像の領域を原稿に対応する領域とする処理、
個別第１予備的画像の領域の一部と、個別第２予備的画像の領域の一部が重複するならば、個別第１予備的画像の領域と個別第２予備的画像の領域の和集合領域を原稿に対応する領域とする処理、
個別第１予備的画像の領域に含まれる個別第２予備的画像の領域がないならば、個別第１予備的画像の領域を原稿に対応する領域とする処理、及び、
個別第２予備的画像の領域に含まれる個別第１予備的画像の領域がないならば、個別第２予備的画像の領域を原稿に対応する領域とする処理
の少なくとも１つを含むことを特徴とする原稿読取装置。
【請求項５】
請求項１乃至４の何れか１項に記載の原稿読取装置であって、
前記原稿画像生成手段は、前記１以上の第１予備的画像に含まれる個別第１予備的画像と、前記１以上の第２予備的画像に含まれる個別第２予備的画像との間で、位置の比較を行い、相互に同一又は近接した位置にある個別第１予備的画像と個別第２予備的画像は同一の原稿に対応すると判断し、同一の原稿に対応する個別第１予備的画像と個別第２予備的画像に基づいて、その原稿に対応する原稿画像を生成することを特徴とする原稿読取装置。
【請求項６】
請求項１乃至５の何れか１項に記載の原稿読取装置であって、
前記原稿台に１以上の原稿が載置され且つ原稿カバーにより前記原稿台が覆われない状態において、前記原稿台が撮像されることにより第１原画像が取得されたならば、前記原稿台に１以上の原稿が載置され且つ前記原稿カバーにより前記原稿台が覆われた状態において、前記原稿台が撮像されることにより第２原画像が取得されることが次に行われるように、利用者に対し案内を出力する案内出力手段を更に備えることを特徴とする原稿読取装置。
【請求項７】
請求項１乃至６の何れか１項に記載の原稿読取装置であって、
前記原稿カバーが前記原稿台を覆っているか否かを検出するための原稿カバー状態検出手段を更に備え、
前記原稿台に１以上の原稿が載置された状態において、前記原稿台が撮像されることにより第１原画像が取得されたならば、原稿カバー状態検出手段が検出した前記原稿カバーが前記原稿台を覆っているか否かの状態に応じて、第１予備的画像取得手段又は第１予備的画像取得手段が動作することを特徴とする原稿読取装置。
【請求項８】
請求項１乃至７の何れか１項に記載の原稿読取装置であって、
前記第１原画像を取得するための第１原画像取得手段と、
前記原稿カバーが前記原稿台の開状態から閉状態への変化を検出するための原稿カバー状態変化検出手段を更に備え、
前記原稿カバーの前記原稿台が閉状態から開状態へ変化することを前記原稿カバー状態変化検出手段が検出したことを契機として、前記第１原画像取得手段が起動されることを特徴とする原稿読取装置。
【請求項９】
請求項１乃至８の何れか１項に記載の原稿読取装置であって、
前記第２原画像を取得するための第２原画像取得手段と、
前記原稿カバーが前記原稿台の開状態から閉状態への変化を検出するための原稿カバー状態変化検出手段を更に備え、
前記原稿カバーの前記原稿台が開状態から閉状態へ変化することを前記原稿カバー状態変化検出手段が検出したことを契機として、前記第２原画像取得手段が起動されることを特徴とする原稿読取装置。
【請求項１０】
請求項１乃至９の何れか１項に記載の原稿読取装置を備えることを特徴とする複合機。
【請求項１１】
原稿台に１以上の原稿が載置され且つ原稿カバーにより前記原稿台が覆われない状態において、前記原稿台が撮像されることにより第１原画像が取得されたならば、前記第１原画像から、前記原稿カバーにより前記原稿台を覆わない状態に対応して設けられた第１パラメータを利用して、前記１以上の原稿に少なくとも部分的に対応する１以上の第１予備的画像を取得する第１予備的画像取得ステップと、
前記原稿台に１以上の原稿が載置され且つ前記原稿カバーにより前記原稿台が覆われた状態において、前記原稿台が撮像されることにより第２原画像が取得されたならば、前記第２原画像から、前記原稿カバーにより前記原稿台を覆った状態に対応して設けられた第２パラメータを利用して、前記１以上の原稿に少なくとも部分的に対応する１以上の第２予備的画像を取得する第２予備的画像取得ステップと、
前記１以上の第１予備的画像及び前記１以上の第２予備的画像に基づいて、前記原稿台に載置された前記１以上の原稿に少なくとも部分的にそれぞれ対応する１以上の原稿画像を生成する原稿画像生成ステップと、
を有することを特徴とする原稿読取方法。
【請求項１２】
コンピュータを請求項１乃至９の何れか１項に記載の原稿読取装置として機能させるためのプログラム。
【発明の詳細な説明】
【技術分野】
【０００１】
本発明は、原稿を読み込んで原稿画像を取得するための原稿読取装置、複合機及び原稿読取方法に関し、特に、複数の原稿を同時に読み込んで、その複数の原稿に少なくとも部分的にそれぞれ対応する複数の原稿画像を取得するための原稿読取装置、複合機及び原稿読取方法に関する。
【背景技術】
【０００２】
従前より、一部の原稿読取装置は、複数の原稿を同時に読み込んで、その複数の原稿に少なくとも部分的にそれぞれ対応する複数の原稿画像を取得する機能を有する。この機能のことをマルチクロップ機能とよぶこともある。マルチクロップ機能を用いれば、例えば、原稿台に複数の名刺を載置して、それぞれの名刺に対応する複数の画像を取得することができる。また、原稿台に複数の写真を載置して、それぞれの写真に対応する複数の画像を取得することができる。
【０００３】
マルチクロップ機能においては、原稿を載置した部分の画像と背景部分の画像との階調差を用いて、原稿台全体の原画像から、それぞれの原稿に対応する原稿画像を取得する。より具体的には、基本的に、透明な原稿台の下側から光を照射して、原稿による反射光を原稿台の下側で検出することにより原稿の画像を取得する方式において、原稿台に原稿を載置してから原稿カバーを開いたままにせず、原稿カバーにより原稿台を覆わない場合には、原稿を載置した部分以外の背景部分は反射光がなく黒色として検出されるため、原稿台の下からは黒色の背景に原稿画像が合わさったような画像を取得することができる。従って、図１に示すように、黒色よりも僅かに階調レベルが高い閾値よりも階調レベルが高い領域を原稿領域として抽出することができる。この原理を用いた原稿の抽出をスカイショットを用いたマルチクロップ機能ということがある。同様な方式を利用している場合、原稿台に原稿を載置してから原稿カバーを閉じて、原稿カバーにより原稿台を覆った場合には、原稿を載置した部分以外の背景部分は反射光が多く白色として検出されるため、原稿台の下からは白色の背景に原稿画像が合わさったような画像を取得することができる。従って、図２に示すように、白色よりも僅かに階調レベルが低い閾値よりも階調レベルが低い領域を原稿領域として抽出することができる。この原理を用いた原稿の抽出を非スカイショットを用いたマルチクロップ機能ということがある。
【先行技術文献】
【特許文献】
【０００４】
【特許文献１】特開２００８−１１３０７５号公報
【発明の概要】
【発明が解決しようとする課題】
【０００５】
しかし、図３に示すように、スカイショットにおいて、閾値よりも階調レベルが低い領域９０１が原稿にあれば、その領域は、背景として認識されてしまい、原稿領域を正確に抽出することができなくなってしまう。また、図４に示すように非スカイショットにおいて閾値よりも階調レベルが高い領域９０３が原稿にあれば、その領域は背景として認識されてしまい、原稿領域を正確に抽出することができなくなってしまう。
【０００６】
このようなことを知っている利用者であれば、全体的に明るい原稿に対してマルチクロップ機能を適用する場合には、スカイショットを選択し、全体的に暗い原稿に対してマルチクロップ機能を適用する場合には、非スカイショットを選択する。
【０００７】
しかし、利用者は、スカイショットを適用するべきであるのか、非スカイショットを適用するべきであるのかの判断に困る場合がある。
【０００８】
また、例えば、図５（ａ）に示すように、階調レベルが低い部分を持つ原稿１、階調レベルが高い部分を持つ原稿２、全体的に階調レベルが中程度である原稿３を同時に原稿台に載置して、マルチクロップ機能を適用しようとした場合において、スカイショットを選択すれば、上述した理由により原稿２、原稿３の領域を正確に抽出することができても、原稿１の領域を正確に抽出することができなくなってしまう場合が生じる。つまり、原稿１の階調レベルが低い部分が黒背景として認識されてしまう場合が生じる。また、同様な場合において、非スカイショットを選択すれば、上述した理由により原稿１、原稿３の領域を正確に抽出することができても、原稿２の領域を正確に抽出することができなくなってしまう場合が生じる。つまり、原稿２の階調レベルが高い部分が白背景として認識されてしまう場合が生じる。
【０００９】
引用文献１には、マルチクロップ機能において、想定していた用紙のサイズから実際に切り出した領域のサイズを差し引くことにより得た差分が閾値よりも大きいことが縦方向又は横方向において検出された場合には、その差分が閾値以下になるまで、マルチクロップのために利用するパラメータを調整する発明が記載されている。しかし、この発明は、用紙サイズが決まっている場合に対してのみ適用することができ、用紙サイズが決まっていない場合や、相互に異なったサイズの複数の原稿を対象とした場合には、適用することができない。
【００１０】
そこで、本発明は、利用者がスカイショットを用いるべきであるのか非スカイショットを用いるべきであるのかを判断する必要をなくす原稿読取装置、複合機及び原稿読取方法を提供することを目的とする。
【００１１】
また、本発明は、階調レベルが高い原稿と階調レベルが低い原稿が混在したり、サイズが相互に異なる原稿が混在した場合であっても、精度よく各原稿に対する画像を切り出すことを可能とする原稿読取装置、複合機及び原稿読取方法を提供することを目的とする。
【課題を解決するための手段】
【００１２】
本発明によれば、
原稿台に１以上の原稿が載置され且つ原稿カバーにより前記原稿台が覆われない状態において、前記原稿台が撮像されることにより第１原画像が取得されたならば、前記第１原画像から、前記原稿カバーにより前記原稿台を覆わない状態に対応して設けられた第１パラメータを利用して、前記１以上の原稿に少なくとも部分的に対応する１以上の第１予備的画像を取得する第１予備的画像取得手段と、
前記原稿台に１以上の原稿が載置され且つ前記原稿カバーにより前記原稿台が覆われた状態において、前記原稿台が撮像されることにより第２原画像が取得されたならば、前記第２原画像から、前記原稿カバーにより前記原稿台を覆った状態に対応して設けられた第２パラメータを利用して、前記１以上の原稿に少なくとも部分的に対応する１以上の第２予備的画像を取得する第２予備的画像取得手段と、
前記１以上の第１予備的画像及び前記１以上の第２予備的画像に基づいて、前記原稿台に載置された前記１以上の原稿に少なくとも部分的にそれぞれ対応する１以上の原稿画像を生成する原稿画像生成手段と、
を備えることを特徴とする原稿読取装置が提供される。
また、本発明によれば、上記の原稿読取り装置を備えることを特徴とする複合機が提供される。
更に、本発明によれば、
原稿台に１以上の原稿が載置され且つ原稿カバーにより前記原稿台が覆われない状態において、前記原稿台が撮像されることにより第１原画像が取得されたならば、前記第１原画像から、前記原稿カバーにより前記原稿台を覆わない状態に対応して設けられた第１パラメータを利用して、前記１以上の原稿に少なくとも部分的に対応する１以上の第１予備的画像を取得する第１予備的画像取得ステップと、
前記原稿台に１以上の原稿が載置され且つ前記原稿カバーにより前記原稿台が覆われた状態において、前記原稿台が撮像されることにより第２原画像が取得されたならば、前記第２原画像から、前記原稿カバーにより前記原稿台を覆った状態に対応して設けられた第２パラメータを利用して、前記１以上の原稿に少なくとも部分的に対応する１以上の第２予備的画像を取得する第２予備的画像取得ステップと、
前記１以上の第１予備的画像及び前記１以上の第２予備的画像に基づいて、前記原稿台に載置された前記１以上の原稿に少なくとも部分的にそれぞれ対応する１以上の原稿画像を生成する原稿画像生成ステップと、
を有することを特徴とする原稿読取方法が提供される。
更に、本発明によれば、コンピュータを請求項１乃至９の何れか１項に記載の原稿読取装置として機能させるためのプログラムが提供される。
【発明の効果】
【００１３】
本発明によれば、利用者がスカイショットを用いるべきであるのか非スカイショットを用いるべきであるのかを判断する必要がなくなる。
【００１４】
また、本発明によれば、階調レベルが高い原稿と階調レベルが低い原稿が混在したり、サイズが相互に異なる原稿が混在した場合であっても、精度よく各原稿に対する画像を切り出すことが可能となる。
【図面の簡単な説明】
【００１５】
【図１】スカイショットを用いたマルチクロップ機能を説明するための図である。
【図２】非スカイショットを用いたマルチクロップ機能を説明するための図である。
【図３】スカイショットを用いたマルチクロップ機能における課題を説明するための図である。
【図４】非スカイショットを用いたマルチクロップ機能における課題を説明するための図である。
【図５】スカイショットを用いたマルチクロップ機能における課題及び非スカイショットを用いたマルチクロップ機能における課題を説明するための別の図である。
【図６】複合機の概要を示す断面図である。
【図７】本発明の実施の形態による複合機の原稿読取装置の外観を示す斜視図である。（ａ）は、原稿カバーが閉じた状態を示し、（ｂ）は、原稿カバーが開いた状態を示す。
【図８】本発明の実施形態によるマルチクロップ方法を説明するための図である。
【図９】本発明の実施の形態によるマルチクロップ方法におけるスカイショットによる読取画像と非スカイショットによる読取画像とを合成する方法を説明するための図である。
【図１０】本発明の第１の実施の形態による原稿読取方法を説明するためのフローチャートである。
【図１１】本発明の第２の実施の形態による原稿読取方法を説明するためのフローチャートである。
【図１２】本発明の第４の実施の形態による原稿読取方法を説明するためのフローチャートである。
【図１３】本発明の第５の実施の形態による合成原稿画像生成方法を説明するためのフローチャートである。
【図１４】本発明の第６の実施の形態による合成原稿画像生成方法を説明するためのフローチャートである。
【図１５】本発明の第７の実施の形態による原稿読取装置の構成を示す機能ブロック図である。
【図１６】本発明の第８の実施の形態による複合機の構成を示す機能ブロック図である。
【発明を実施するための形態】
【００１６】
以下、図面を参照して本発明を実施するための形態について詳細に説明する。
図６に示すように、原稿読取装置８２０は、原稿を自動給送する原稿自動給送部ＳＰＦ(Single Pass Feeder)８２４と、原稿の画像を読み取る読取装置本体８２２と、を備えている。
【００１７】
図７は、原稿読取装置８２０の原稿自動給送部ＳＰＦ(Single Pass Feeder)８２４と原稿台（ガラス面）９２の構成を示す図である。以下、原稿自動給送部ＳＰＦ(Single Pass Feeder)８２４のことを単に、原稿カバー８２４ということもある。
【００１８】
原稿台９２は、厚手の原稿やブック物等の原稿であって、原稿自動送り装置を使うことができない原稿をセットする時等に使う。
【００１９】
非スカイショットにおいては、図７（ａ）に示すように、原稿カバー８２４が閉じている。また、スカイショットにおいては、図７（ｂ）に示すように原稿カバー８２４が開いている。マルチクロップ機能を用いる場合には、原稿台９２に１以上の原稿（図７では示さず。）を載置する。
【００２０】
まず、本実施形態で利用する原理について図５に対応した図８を参照して説明をする。スカイショットでは、図５（ａ）のように原稿台に載置された原稿１、原稿２、原稿３からは、図８（ａ）に示すような領域を有する画像１Ａ、画像２Ａ及び画像３Ａを切り出すことができる。また、非スカイショットでは、図５（ａ）のように原稿台に載置された原稿１、原稿２、原稿３からは、図８（ｂ）に示すような領域を有する画像１Ｂ、画像２Ｂ及び画像３Ｂを切り出すことができる。次に、図８（ｃ）に示すように、画像１Ａと画像１Ｂに基づいて画像１Ｃを合成し、図８（ｄ）に示すように、画像２Ａと画像２Ｂに基づいて画像２Ｃを合成し、図８（ｅ）に示すように、画像３Ａと画像３Ｂに基づいて画像３Ｃを合成する。画像１Ｃ、画像２Ｃ、画像３Ｃが、この原理により切り出した画像となる。
【００２１】
より詳細な説明を一例をあげてすると、画像１Ｂの領域は、原稿１の領域と一致し、画像１Ａの領域は、原稿１の領域の一部のみであるが、このような場合には、画像１Ｂをそのまま画像１Ｃとする。但し、画像１Ａと画像１Ｂとの共通領域については、画像１Ａ又は画像１Ｂ又は画像１Ａ及び画像１Ｂから画像１Ｃを生成するようにしてもよい。例えば、共通領域については、画像１Ａをそのまま利用し、画像１Ｂをそのまま利用し、又は、画像１Ａと画像１Ｂの平均値、最大値、又は、最小値を利用する。
【００２２】
また、画像２Ａの領域は、原稿２の領域と一致し、画像２Ｂの領域は、原稿２の領域の一部のみであるが、このような場合には、画像２Ａをそのまま画像２Ｃとする。但し、画像２Ａと画像２Ｂとの共通領域については、画像２Ａ又は画像２Ｂ又は画像２Ａ及び画像２Ｂから画２Ｃを生成するようにしてもよい。例えば、共通領域については、画像２Ａをそのまま利用し、画像２Ｂをそのまま利用し、又は、画像２Ａと画像２Ｂの平均値、最大値、又は、最小値を利用する。
【００２３】
更に、画像３Ａの領域は、原稿３の領域と一致し、画像３Ｂの領域も、原稿３の領域と一致するが、このような場合には、画像３Ａをそのまま画像３Ｃとしてもよいし、画像３Ｂをそのまま画像３Ｃとしてもよいし、画像３Ａ及び画像３Ｂから画像３Ｃを生成するようにしてもよい。例えば、全領域については、画３Ａをそのまま利用し、画像３Ｂをそのまま利用し、又は、画像３Ａと画像３Ｂの平均値、最大値、又は、最小値を利用する。
【００２４】
次に、図９を参照して、合成画像の生成方法について、より一般的な説明をする。図９（ａ）乃至（ｆ）においては、マイナス４５度の斜線のハッチングが付けられた画像Ａは、スカイショットにより得た画像であり、プラス４５度の斜線のハッチングが付けられた画像Ｂは、非スカイショットにより得た画像である。
【００２５】
図９（ａ）に示すように、画像Ｂの領域が画像Ａの領域の部分集合である場合（つまり、スカイショットで正しい領域の画像を切り出せたが、非スカイショットでは正しい領域の画像を切り出せなかった場合）には、例えば、画像Ａをそのまま合成画像にする。共通集合の領域については、上述した何れかの方法により合成画像を生成してもよい。
【００２６】
図９（ｂ）に示すように、画像Ａの領域が画像Ｂの領域の部分集合である場合（つまり、非スカイショットで正しい領域の画像を切り出せたが、スカイショットでは正しい領域の画像を切り出せなかった場合）には、例えば、画像Ｂをそのまま合成画像にする。共通集合の領域については、上述した何れかの方法により合成画像を生成してもよい。
【００２７】
図９（ｃ）に示すように、画像Ｂの一部の領域が画像Ａの一部の領域とが共通である場合（つまり、非スカイショットでもスカイショットでも正しい領域の画像を切り出せなかった場合）には、例えば、画像Ａの領域と画像Ｂの領域の和集合の領域を合成画像の領域にする。共通集合の領域については、上述した何れかの方法により合成画像を生成してもよい。共通集合以外の領域については、そこに存在する画像Ａ又は画像Ｂをそのまま合成画像とする。
【００２８】
図９（ｄ）に示すように、画像Ｂの全領域が画像Ａの全領域とが共通である場合（つまり、スカイショットでも非スカイショットでも正しい領域の画像を切り出せた場合）には、画像Ａの領域を合成画像の領域にしてもよいし、画像Ｂの領域を合成画像の領域としてもよい。全領域について、上述した何れかの方法により合成画像を生成してもよい。
【００２９】
図９（ｅ）に示すように、画像Ａの領域のみを取得できた場合（つまり、スカイショットで正しい領域の画像を切り出せたが、非スカイショットでは全く領域を切り出せなかった場合）には、例えば、画像Ａをそのまま合成画像にする。
【００３０】
図９（ｆ）に示すように、画像Ｂの領域のみを取得できた場合（つまり、非スカイショットで正しい領域の画像を切り出せたが、スカイショットでは全く領域を切り出せなかった場合）には、例えば、画像Ｂをそのまま合成画像にする。
【００３１】
［第１の実施の形態］
次に、図１０を参照して、本発明の第１の実施の形態による原稿読取方法について説明する。
【００３２】
図１０を参照すると、まず、利用者によりマルチクロップ機能が選択され（ステップＳ３０１）、利用者により１枚以上の原稿が原稿台に載置される（ステップＳ３０３）。
【００３３】
次に、利用者により原稿カバーの開閉状態が設定される（ステップＳ３０５）。つまり、利用者により原稿カバーが開かれ、又は、原稿カバーが閉じられる。原稿カバーが開かれれば、原稿カバーは、原稿台を覆わず、これは、利用者がスカイショットを選択したことを意味する。原稿カバーが閉じられれば、原稿カバーは、原稿台を覆い、これは、利用者が非スカイショットを選択したことを意味する。
【００３４】
次に、利用者により、スタートキーが押下されると（ステップＳ３０７）、原稿読取装置の読取部は、原稿台をスキャンして原画像を取得する（ステップＳ３０９）。具体的には、透明な原稿台の下から光を照射し、反射光を検出するための撮像素子により検出した光に基づいて、原画像を取得する。これは、原稿台の全領域に対して行われる。原稿が載置されている箇所においては、原稿の明度、色相、彩度に応じた画像を得ることができ、これは、各色について階調を有したものである。各色についての階調を所定の割合により合成することにより明度に対応した階調を取得することができる。スカイショットの場合には、原稿が載置されていない部分では、反射光がないので、漏れこんだ光がないならば、その部分は、黒色部分として検出される。非スカイショットの場合には、原稿カバーの原稿台側の面が白色であれば、原稿が載置されていない部分は、白色部分として検出される。
【００３５】
次に、スカイショットが行われたのか、又は、非スカイショットが行われたのかを判断する（ステップＳ３１１）。判断のための方法についての説明はここでは省略する。
【００３６】
スカイショットが行われたことが判断されたならば（ステップＳ３１１で「スカイショット」）、原画像を反転し（ステップＳ３１３）、反転された原画像から１以上の原稿に少なくとも部分的にそれぞれ対応する１以上の原稿画像を切り出し（ステップＳ３１５）、それから、切り出した１以上の原稿画像を反転する（ステップＳ３１７）。原稿を反転するのは、非スカイショットのために用いられる原稿切り出し処理を、スカイショットに適用するためである。従って、ステップＳ３１５においてスカイショット独自の原稿切り出し処理を用いるのであれば、ステップＳ３１３、Ｓ３１７を省略することができる。
【００３７】
非スカイショットが行われたことが判断されたならば（ステップＳ３１１で「非スカイショット」）。原画像から１以上の原稿に少なくとも部分的にそれぞれ対応する１以上の原稿画像を切り出す（ステップＳ３１９）。
【００３８】
ステップＳ３１７からステップＳ３２１に進んだ場合には、ステップＳ３１５で切り出された後にステップＳ３１７で反転された１以上の原稿画像とその位置情報を保存する。ステップＳ３１９からステップ３２１に進んだ場合には、ステップＳ３１９で切り出された１以上の原稿画像を保存する。位置情報は、後に、原画像の同じ位置に原稿画像を配置することを可能にするようなものであり、例えば、原稿画像を囲む水平・垂直の辺を有する矩形の原画像における左上座標と幅、高さの組である。この位置情報は、合成原稿画像を生成するために利用される。
【００３９】
ステップＳ３２１の次に、スカイショットと非スカイショットの双方が行われたか否かを判断する（ステップＳ３２３）。何れか片方しか行われていない場合には（ステップＳ３２３でＮＯ）、ステップＳ３０５に戻り、これ以降のステップを繰り返す。具体的には、スカイショットしか行われていない場合には、非スカイショットをする必要があるが、そのため、ステップＳ３０５、Ｓ３０７、Ｓ３０９、Ｓ３１１、Ｓ３１９、Ｓ３２１を実行する。この場合、利用者に対し、非スカイショットを選択させるための案内画面を表示してもよい。そうすることにより、利用者は、ステップＳ３０５において原稿カバーを閉じる。また、非スカイショットしか行われていない場合には、スカイショットをする必要があるが、そのため、ステップＳ３０５、Ｓ３０７、Ｓ３０９、Ｓ３１１、Ｓ３１３、Ｓ３１５、Ｓ３１７、Ｓ３２１を実行する。この場合、利用者に対し、スカイショットを選択させるための案内画面を表示してもよい。そうすることにより、利用者は、ステップＳ３０５において原稿カバーを開ける。
【００４０】
次に、ステップＳ３２３において、ＹＥＳとなるので、ステップＳ３２５に進む。ここでは、スカイショットで取得した原稿画像と非スカイショットで取得した原稿画像に基づいて、合成原稿画像を生成する。これの詳細についは、後述する。
【００４１】
次に、ステップＳ３２５で生成した合成原稿画像を外部に出力する（ステップＳ３２７）。外部に出力された各合成原稿画像は、例えば、画像形成装置により印刷されたり、記憶装置に格納されたり、ネットワークを通じて、他の装置に送信される。
【００４２】
［第２の実施の形態］
次に、図１１を参照して、本発明の第２の実施の形態による原稿読取方法について説明する。
【００４３】
第２の実施の形態は、基本的には、第１の実施の形態と同様である。従って、図１１において、第１の実施の形態と同様なステップについては、第１の実施の形態の対応する図１１におけるステップと同一の符号を付して、重複する説明を省略する。
【００４４】
第２の実施の形態は、第１の実施の形態と比較して、ステップＳ３１１がステップＳ３１１Ｂに変更した点が異なる。第１の実施の形態のステップＳ３１１におけるスカイショットか非スカイショットかの判断方法として、第２の実施の形態では、原稿カバーの開閉状態に基づいた判断方法を用いる。つまり、原稿カバーが開いていればスカイショットであると判断し、原稿カバーが閉じていれば非スカイショットであると判断する。
【００４５】
［第３の実施の形態］
第３の実施の形態では、第１の実施の形態のステップＳ３１１におけるスカイショットか非スカイショットかの判断方法として、原画像に基づいた判断方法を用いる。例えば、背景レベルを所定の方法により算出し、これが所定のレベルよりも低ければスカイショットであると判断し、これが所定のレベルよりも高ければ非スカイショットであると判断する。背景は、予備的に原稿に対応する画像を原画像から除去することにより抽出することができる。また、原画像からレベル毎のヒストグラムを作成し、頻度が多い部分のレベルを背景のレベルとし、このレベルに基づいて、スカイショットであるのか非スカイショットであるのかの判断をすることもできる。
【００４６】
［第４の実施の形態］
次に、図１２を参照して、本発明の第４の実施の形態による原稿読取方法について説明する。
【００４７】
図１２を参照すると、まず、利用者によりマルチクロップ機能が選択され（ステップＳ３４１）、利用者により１枚以上の原稿が原稿台に載置される（ステップＳ３４３）。
【００４８】
次に、利用者により原稿カバーが閉じられるまで待つ（ステップＳ３４５）。原稿カバーが閉じられれば、原稿カバーは、原稿台を覆い、これは、利用者が非スカイショットを選択したことを意味する。
【００４９】
次に、利用者により原稿カバーが閉じられたならば、利用者により、スタートキーが押下されるのを待たずに、原稿読取装置の読取部は、原稿台をスキャンして原画像を取得する（ステップＳ３４７）。つまり、利用者により原稿カバーが閉じられることを契機として、スキャンが開始される。
【００５０】
非スカイショットが行われたので、原画像から１以上の原稿に少なくとも部分的にそれぞれ対応する１以上の原稿画像を切り出す（ステップＳ３４９）。
【００５１】
次に、ステップＳ３４９で切り出された原稿画像を保存する（ステップＳ３５１）。
【００５２】
次に、利用者により原稿カバーが開かれるまで待つ（ステップＳ３５３）。原稿カバーが開かれれば、原稿カバーは、原稿台を覆わず、これは、利用者がスカイショットを選択したことを意味する。
【００５３】
次に、利用者により原稿カバーが開かれたならば、利用者により、スタートキーが押下されるのを待たずに、原稿読取装置の読取部は、原稿台をスキャンして原画像を取得する（ステップＳ３５５）。つまり、利用者により原稿カバーが開かれたことを契機として、スキャンが開始される。
【００５４】
スカイショットが行われたので、原画像を反転し（ステップＳ３５７）、反転された原画像から１以上の原稿に少なくとも部分的にそれぞれ対応する１以上の原稿画像を切り出し（ステップＳ３５９）、それから、原稿画像を反転する（ステップＳ３６１）。
【００５５】
次に、ステップＳ３５９で切り出されて、ステップＳ３６１で反転された原稿画像を保存する（ステップＳ３６３）。
【００５６】
次に、ステップＳ３２５に進む。ここでは、スカイショットで取得した原稿画像と非スカイショットで取得した原稿画像に基づいて、合成原稿画像を生成する。これの詳細は、後述する。
【００５７】
次に、ステップＳ３２５で生成した合成原稿画像を外部に出力する（ステップＳ３６７）。外部に出力された各合成原稿画像は、例えば、画像形成装置により印刷されたり、記憶装置に格納されたり、ネットワークを通じて、他の装置に送信される。
【００５８】
［第５の実施の形態］
次に、図１３を参照して、ステップＳ３２５の詳細例１について説明する。
【００５９】
まず、スカイショットにおいて取得した原画像から切り出した各原稿画像（原稿画像Ａｉ）について、ステップＳ４０１ＳからステップＳ４０１Ｅまでの処理を繰り返す。この繰り返しにおいては、原稿画像Ａｉの重心座標（ｘｉ，ｙｉ）を求める（ステップＳ４０３）。ここで、重心座標は、原画像の所定の原点を基準としたものであり、原稿画像の位置情報を参照して求めた原稿画像の各画素の座標に基づいて求める。
【００６０】
次に、非スカイショットにおいて取得した原画像から切り出した各原稿画像（原稿画像Ｂｊ）について、ステップＳ４０５ＳからステップＳ４０５Ｅまでの処理を繰り返す。この繰り返しにおいては、原稿画像Ｂｊの重心座標（ｘｊ，ｙｊ）を求める（ステップＳ４０７）。
【００６１】
次に、スカイショットにおいて取得した原画像から切り出した各原稿画像（原稿画像Ａｉ）について、ステップＳ４０９ＳからステップＳ４０９Ｅまでの処理を繰り返す。
【００６２】
この各繰り返しにおいては、非スカイショットにおいて取得した原画像から切り出した各原稿画像（原稿画像Ｂｊ）について、ステップＳ４１１ＳからステップＳ４１１Ｅまでの処理を繰り返す。
【００６３】
この２重の繰り返しにおける各繰り返しにおいては、まず、原稿画像Ａｉの重心座標（ｘｉ，ｙｉ）と原稿画像Ｂｊの重心座標（ｘｊ，ｙｊ）との間の距離ｄｉ，ｊが所定の閾値以下であるか否かを判断する（ステップＳ４１３）。
【００６４】
距離ｄｉ，ｊが所定の閾値以下であれば（ステップＳ４１３でＹＥＳ）、原稿画像Ａｉと原稿画像Ｂｊとが同一の原稿ｋの画像データであると判断する（ステップＳ４１５）。
【００６５】
距離ｄｉ，ｊが所定の閾値以下でなければ（ステップＳ４１３でＮＯ）、現在の繰り返しを終了する。
【００６６】
ステップＳ４５９では、原稿画像Ａｉと原稿画像Ｂｊとが同一の原稿ｋの原稿画像であると判断する。
【００６７】
ステップＳ４０９ＳからステップＳ４０９Ｅまでの繰り返しを終了したならば、同一の原稿ｋから切り出したと判断された原稿画像を合成して、その原稿ｋに対応する合成原稿画像Ｃｋとする（ステップＳ４１９）。
【００６８】
次に、同一の原稿から切り出された他の原稿画像がない原稿画像（すなわち、孤立した原稿画像）Ａｉ又はＢｊは、そのまま合成原稿画像Ｃｘとする（ステップＳ４２１）。
【００６９】
［第６の実施の形態］
次に、図１４を参照して、ステップＳ３２５の詳細例２について説明する。
【００７０】
まず、スカイショットにおいて取得した原画像から切り出した各原稿画像（原稿画像Ａｉ）について、ステップＳ４５１ＳからステップＳ４５１Ｅまでの処理を繰り返す。
【００７１】
この各繰り返しにおいては、非スカイショットにおいて取得した原画像から切り出した各原稿画像（原稿画像Ｂｊ）について、ステップＳ４５３ＳからステップＳ４５３Ｅまでの処理を繰り返す。
【００７２】
この各繰り返しにおいては、まず、原稿画像Ａｉと原稿画像Ｂｊとが共通領域を持つか否かを判断する（ステップＳ４５５）。
【００７３】
共通の領域を持つならば（ステップＳ４５５でＹＥＳ）、ステップＳ４５９に進む。
【００７４】
共通の領域を持たないならば（ステップＳ４５５でＮＯ）、原稿画像Ａｉと原稿画像Ｂｊとが接しているか否かを判断する（ステップＳ４５７）。
【００７５】
接しているならば（ステップＳ４５７でＹＥＳ）、ステップＳ４５９に進む。
【００７６】
接していないならば（ステップＳ４５７でＮＯ）、現在の繰り返しを終了する。
【００７７】
ステップＳ４５９では、原稿画像Ａｉと原稿画像Ｂｊとが同一の原稿ｋの原稿画像であると判断する。
【００７８】
ステップＳ４５１ＳからステップＳ４５１Ｅまでの繰り返しを終了したならば、同一の原稿ｋから切り出したと判断された原稿画像を合成して、その原稿ｋに対応する合成原稿画像Ｃｋとする（ステップＳ４６１）。
【００７９】
次に、同一の原稿から切り出された他の原稿画像がない原稿画像（すなわち、孤立した原稿画像）Ａｉ又はＢｊは、そのまま合成原稿画像Ｃｘとする（ステップＳ４６３）。
【００８０】
［第７の実施の形態］
第７の実施の形態は、第１乃至第６の実施の形態による原稿読取方法を実行する原稿読取装置に関するものである。
【００８１】
図１５を参照すると、この原稿読取装置は、原稿カバー状態検出部５０１、原稿カバー状態遷移検出部５０３、原画像取得部５０５、第１予備的原稿画像取得部５０７、第２予備的原稿画像取得部５０９、合成原稿画像生成部５１１及び案内出力部５１３を含む。
【００８２】
原稿カバー状態検出部５０１は、原稿カバーが開状態であるのか閉状態であるのかを検出する部分である。
【００８３】
原稿カバー状態遷移検出部５０３は、原稿カバーが開状態から閉状態に遷移すること及び原稿カバーが閉状態から開状態に遷移することを検出する部分である。
【００８４】
原画像取得部５０５は、原稿カバーが開状態である場合においても、原稿カバーが閉状態である場合においても、原稿が載置された原稿台から原画像を取得するものである。
【００８５】
第１予備的原稿画像取得部５０７は、原稿カバーが開状態において原稿読取部５０５が取得した原画像から各原稿に少なくとも部分的にそれぞれ対応する各第１予備的原稿画像を取得するものである。
【００８６】
第２予備的原稿画像取得部５０９は、原稿カバーが閉状態において原稿読取部５０５が取得した原画像から各原稿に少なくとも部分的にそれぞれ対応する各第２予備的原稿画像を取得するものである。
【００８７】
合成画像生成部５１１は、第１予備的原稿画像と第２予備的原稿画像に基づいて合成原稿画像を生成するものである。
【００８８】
案内出力部５１３は、利用者に対して、原稿台カバーを閉じるように案内したり開くように案内するための案内画面や案内アナウンスなどを出力するためのものである。
【００８９】
［第８の実施の形態］
第８の実施の形態は、第１乃至第７の実施の形態による原稿読取装置を含む複合機８００に関するものである。図６及び図１６は、複合機８００の構成などを示すものである。
【００９０】
図６及び図１６に示すように、複合機８００は、原稿の画像を読み取る原稿読取装置８２０と、シートに画像を形成する複合機本体（画像形成部本体）２１５と、原稿読取装置８２０及び複合機本体２１５を操作するための操作パネル部２１７と、操作パネル部２１７による操作に基づいて原稿読取装置８２０及び複合機本体２１５を制御する演算処理部２１３と、を備えている。操作パネル２１７は、ユーザインターフェース１１７の一部を構成する。
【００９１】
画像読取りのために原稿読取装置８２０を単体で用いること、画像形成のために画像形成部本体２１５を単体で用いることの他に、画像を複写するためにこれらを連動させることもできる。また、複合機８００は図示しない記憶装置及びファクシミリ装置を含んでいてもよい。記憶装置は、原稿読取装置により読み取られた画像やファクシミリ装置により受信した画像を格納することができる。ファクシミリ装置は、原稿読取装置により読み取られた画像や記憶装置に格納されている画像を送信することと、外部から画像を受信することができる。更に、複合機８００は、ネットワークを介してパーソナルコンピュータと接続するためのインターフェースを含んでいてもよい。複合機８００に接続されたパーソナルコンピュータは、これが管理できるデータについて複合機の機能を利用することができる。
【００９２】
既に説明したように、原稿読取装置８２０は、原稿を自動給送する原稿自動給送部ＳＰＦ(Single Pass Feeder)８２４と、原稿の画像を読み取る読取装置本体８２２と、を備えている。なお、原稿読取装置８２０は、図１６に示す構成要素の他に、図１６には示されないが図６に示される構成要素も含む。
【００９３】
複合機本体２１５は、シートを給送するシート給送部１０と、シートを手差し給送可能な手差し給送部２０と、シート給送部１０又は手差し給送部２０により給送されるシートに画像を形成する画像形成部３０と、を備えている。
【００９４】
シート給送部１０は、シートを積載するシート積載部１１と、シート積載部１１に積載されたシートを１枚ずつ分離給送する分離給送部１２と、を備えている。シート積載部１１は、回転軸１３を中心に回動する中板１４を備えており、中板１４は、シートを給送する際に回動してシートを上方に持ち上げる。分離給送部１２は、中板１４により持ち上げられたシートを給送するピックアップローラ１５と、ピックアップローラ１５により給送されるシートを１枚ずつに分離する分離ローラ対１６と、を備えている。
【００９５】
手差し給送部２０は、シートを積載可能な手差しトレイ２１と、手差しトレイ２１に積載されたシートを１枚ずつ分離給送する分離給送部２２と、を備えている。手差しトレイ２１は、複合機本体２１５に回動自在に支持されており、手差し給送する際には、所定の角度に固定させることでシートを積載可能になる。分離給送部２２は、手差しトレイ２１に積載されたシートを給送するピックアップローラ２３と、ピックアップローラ２３により給送されるシートを１枚ずつに分離する分離ローラ２４及び分離パッド２５と、を備えている。
【００９６】
画像形成部３０は、イエロー（Ｙ）、マゼンタ（Ｍ）、シアン（Ｃ）、ブラック（Ｋ）の画像を形成する４つのプロセスカートリッジ３１Ｙ〜３１Ｋと、後述する感光体ドラム７４０Ｙ〜７４０Ｋと、これらの表面を露光する露光装置３２と、感光体ドラム７４０Ｙ〜７４０Ｋの表面に形成されたトナー像をシートに転写する転写部（転写手段）３３と、転写したトナー像をシートに定着させる定着部３４と、を備えている。なお、符号の最後に付すアルファベット（Ｙ、Ｍ、Ｃ、Ｋ）は、それぞれの色（イエロー、マゼンタ、シアン、ブラック）を示している。
【００９７】
４つのプロセスカートリッジ３１Ｙ〜３１Ｋのそれぞれは、複合機本体２１５から取り外し可能に構成されており、交換可能となっている。なお、４つのプロセスカートリッジ３１Ｙ〜３２Ｋは、形成する画像の色が異なること以外は同様な構成であるため、イエロー（Ｙ）の画像を形成するプロセスカートリッジ３１Ｙの構成のみの説明し、プロセスカートリッジ３１Ｍ〜３１Ｋの説明は省略する。
【００９８】
プロセスカートリッジ３１Ｙは、像担持体としての感光体ドラム７４０Ｙと、感光体ドラム７４０Ｙを帯電させる帯電器７４１Ｙと、感光体ドラム７４０Ｙ上に形成された静電潜像を現像する現像装置７４２Ｙと、感光体ドラム７４０Ｙの表面に残留するトナーを除去するドラムクリーナと、を備えている。現像装置７４２Ｙは、感光体ドラム７４０Ｙを現像する現像装置本体（詳細には図示せず）と、現像装置本体にトナーを供給するトナーカートリッジ（詳細には図示せず）と、を備えている。トナーカートリッジは、現像装置本体に着脱可能に構成されており、収容されたトナーが無くなると、現像装置本体から取り外して、交換することができるようになっている。
【００９９】
露光装置３２は、レーザ光を照射する光源（図示せず）と、レーザ光を感光体ドラム７４０Ｙ〜７４０Ｋに導く複数のミラー（図示せず）等と、を備えている。転写部３３は、感光体ドラム７４０Ｙ〜７４０Ｋに形成されたトナー像を担持する中間転写ベルト３５と、感光体ドラム７４０Ｙ〜７４０Ｋに形成されたトナー像を中間転写ベルト３５に一次転写する一次転写ローラ３６Ｙ〜３６Ｋと、中間転写ベルト３５に転写されたトナー像をシートに二次転写する二次転写ローラ３７と、中間転写ベルト３５に残留するトナーを除去するベルトクリーナ３８と、を備えている。中間転写ベルト３５は、駆動ローラ３９ａ及び従動ローラ３９ｂに掛け渡されており、一次転写ローラ３６Ｙ〜３６Ｋによって感光体ドラム７４０Ｙ〜７４０Ｋに押し付けられている。二次転写ローラ３７は、駆動ローラ３９ａとで中間転写ベルト３５をニップ（挟持）しており、ニップ部Ｎで中間転写ベルト３５が担持するトナー像をシートに転写する。定着部３４は、シートを加熱する加熱ローラ３４ａと、加熱ローラ３４ａに圧接する加圧ローラ３４ｂと、を備えている。
【０１００】
操作パネル部２１７は、所定の情報を表示する表示部２１１と、利用者が原稿読取装置８２０及び複合機本体２１５への指示を入力する入力部２０３と、を備えている。本実施形態においては、操作パネル部２１７は、読取装置本体８２２の正面側に配設されている。なお、正面側は図６の紙面の手前側に対応し、裏面側は図６の背面側に対応する。
【０１０１】
図１６に示すように、演算処理部２１３は、シート給送部１０、手差し給送部２０、画像形成部３０及び原稿読取装置８２０を駆動制御するＣＰＵ２１３ａと、ＣＰＵ２１３ａを動作させるための各種プログラムとＣＰＵ２１３ａが用いる各種情報等を記憶するメモリ２１３ｂと、を備えている。演算処理部２１３は、利用者による操作パネル部２１７への操作に基づいて、シート給送部１０、手差し給送部２０、画像形成部３０及び原稿読取装置８２０の動作を統合して制御し、シートに画像を形成させる。
【０１０２】
なお、演算処理部２１３に、図１５に示すような、原稿読取装置８２０の動作を制御するが含まれていてもよい。
【０１０３】
次に、上述のように構成された複合機８００による画像形成動作（演算処理部２１３による画像形成制御）について説明する。本実施形態においては、原稿自動給送部８２４により給送され、読取装置本体８２２により読み取られた読取原稿の画像を、シート給送部１０により給送されるシートに画像形成部３０が形成する画像形成動作を例にとり説明する。
【０１０４】
利用者による操作パネル部２１７の入力部２０３への入力により、画像形成開始信号が発信されると、利用者により原稿自動給送部８２４に載置された読取原稿が原稿読取位置に向けて自動給送され、原稿読取位置で読取装置本体８２２によって画像が読み取られる。
【０１０５】
読取装置本体８２２により原稿の画像が読み取られると、読み取られた原稿の画像情報に基づいて、露光装置３２が感光体ドラム７４０Ｙ〜７４０Ｋに向けて、それぞれに対応する複数のレーザ光を照射する。このとき、感光体ドラム７４０Ｙ〜７４０Ｋは、それぞれ、帯電器７４１Ｙ〜７４１Ｂにより予め帯電されており、それぞれに対応するレーザ光が照射されることで感光体ドラム７４０Ｙ〜７４０Ｋ上にそれぞれの静電潜像が形成される。その後、現像装置７４２Ｙ〜７４２Ｋにより感光体ドラム７４０Ｙ〜７４０Ｋ上にそれぞれ形成された静電潜像が現像され、感光体ドラム７４０Ｙ〜７４０Ｋ上に、イエロー（Ｙ）、マゼンタ（Ｍ）、シアン（Ｃ）及びブラック（Ｋ）のトナー像が形成される。感光体ドラム７４０Ｙ〜７４０Ｋ上に形成された各色のトナー像は、一次転写ローラ３６Ｙ〜３６Ｋによって中間転写ベルト３５に重畳転写され、重畳転写されたトナー像（フルカラーのトナー像）は、中間転写ベルト３５に担持された状態でニップ部Ｎまで搬送される。
【０１０６】
上述の画像形成動作に並行して、シート積載部１１に積載されたシートが、分離給送部１２によって１枚ずつに分離されながら、ピックアップローラ１５によりシート搬送路２６に給送される。そして、ニップ部Ｎのシート搬送方向上流にあるレジストローラ対２７で、斜行が補正されると共に、所定の搬送タイミングでニップ部Ｎに搬送される。ニップ部Ｎに搬送されたシートは、二次転写ローラ３７によって中間転写ベルト３５が担持するフルカラーのトナー像が転写される。
【０１０７】
トナー像が転写されたシートは、定着部３４で加熱・加圧されることでトナー像が溶融定着され、排出ローラ対１８により装置外に排出される。装置外に排出されたシートは、排出シート積載部１９に積載される。
【０１０８】
なお、シートの両面（第１面及び第２面）に画像を形成する場合には、第１面に画像が形成されたシートが装置外に排出される前に、排出ローラ対１８を逆回転させて両面搬送路１７に搬送し、両面搬送路１７を介して画像形成部３０に再搬送する。そして、第１面と同様に、第２面に画像を形成し、装置外に排出する。装置外に排出されたシートは、排出シート積載部１９に積載される。
【０１０９】
なお、上記の原稿読取装置は、ハードウェア、ソフトウェア又はこれらの組合わせにより実現することができる。また、上記の原稿読取装置により行なわれる原稿読取方法も、ハードウェア、ソフトウェア又はこれらに組合わせにより実現することができる。ここで、ソフトウェアによって実現されるとは、コンピュータがプログラムを読み込んで実行することにより実現されることを意味する。
【０１１０】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【産業上の利用可能性】
【０１１１】
本発明は、複数の原稿をまとめて読み込むために利用することができる。
【符号の説明】
【０１１２】
５０１  原稿カバー状態検出部
５０３  原稿カバー状態遷移検出部
５０５  原原稿読取部
５０７  第１予備的原稿画像読取部
５０９  第２予備的原稿画像読取部
５１１  合成原稿画像生成部
５１３  案内出力部
【図１】
2018061186.tif 000003
【図２】
2018061186.tif 000004
【図３】
2018061186.tif 000005
【図４】
2018061186.tif 000006
【図５】
2018061186.tif 000007
【図６】
2018061186.tif 000008
【図７】
2018061186.tif 000009
【図８】
2018061186.tif 000010
【図９】
2018061186.tif 000011
【図１０】
2018061186.tif 000012
【図１１】
2018061186.tif 000013
【図１２】
2018061186.tif 000014
【図１３】
2018061186.tif 000015
【図１４】
2018061186.tif 000016
【図１５】
2018061186.tif 000017
【図１６】
2018061186.tif 000018